(57)【特許請求の範囲】
【請求項１】
第１の画像（４１、４３）を構成する複数の画素と第２の画像（４２）を構成する複数の画素とがまとめて所定の配置で組み合わせられた組み合わせ画像（４４）の供給を受けることで、第１の方向に画面を見たときには前記第１の画像が見え、前記第１の方向とは異なる第２の方向に前記画面を見たときには前記第２の画像が見えるような表示を行う画像表示装置（１２）に対して、前記組み合わせ画像を供給する２画像供給装置であって、
複数の画像ソース（１５、１６、１７、１８、２１）のうち同時に最大で２つの画像ソ
ースから画像の部品群を取得し、取得した前記部品群に基づいて出力用画像（４１、４２
）を生成する描画ＩＣ（２１）と、
前記複数の画像ソースのうち同時に最大で２つの画像ソースから画像を取得して合成す
ることで、前記第１の画像および前記第２の画像を含む両方向画像（４１、４２、４３）
を生成する画面合成ＩＣ（２２）と、
前記画面合成ＩＣが生成した前記両方向画像の画素の配置を変換することで、前記組み
合わせ画像を生成して前記画像表示装置に供給する画素変換ＩＣ（２３）と、を備え、
前記描画ＩＣは、前記複数の画像ソースのうち第１の画像ソース（１７）から第１の部
品群を取得すると共に前記複数の画像ソースのうち前記第１の画像ソースと異なる第２の
画像ソース（１８）から第２の部品群を取得し、また、前記第１の部品群から第３の画像
（４１）を構成すると共に前記第２の部品群から前記第２の画像を構成し、それら第３の
画像および第２の画像を含む画像を前記出力用画像（４１、４２）として出力し、
前記画面合成ＩＣは、前記複数の画像ソースのうち前記描画ＩＣから前記出力用画像を
取得すると共に、前記複数の画像ソースのうちＴＶ映像のソース（１５）またはＤＶＤ映
像のソース（１６）からＴＶ映像またはＤＶＤ映像（４３）を取得し、前記出力用画像中
の前記第３の画像に対して前記ＴＶ映像またはＤＶＤ映像を重畳したものを前記第１の画像とする前記両方向画像を生成して前記画素変換ＩＣに出力することを特徴とする２画像供給装置。
【請求項２】
前記画像表示装置は、横方向画素数がＮ／２（ただしＮは偶数）である前記第１の画像（４１、４３）を構成する複数の画素と横方向画素数がＮ／２である前記第２の画像（４２）を構成する複数の画素とがまとめて所定の配置で組み合わせられた横方向画素数がＮの前記組み合わせ画像（４４）の供給を受けることで、前記第１の方向に画面を見たときには前記第１の画像が見え、前記第２の方向に前記画面を見たときには前記第２の画像が見えるような表示を行い、
前記描画ＩＣは、取得した前記第１の部品群から横方向画素数がＮ／２である前記第３
の画像（４１）を構成すると共に取得した前記第２の部品群から横方向画素数がＮ／２で
ある前記第２の画像を構成し、それら第３の画像および第２の画像を横方向に繋げた横方
向画素数がＮの画像を前記出力用画像として出力し、
前記画面合成ＩＣは、取得した前記出力用画像中の前記第３の画像に対して前記ＴＶ映像ま
たはＤＶＤ映像を重畳したものを前記第１の画像とする横方向画素数がＮの前記両方向画
像を生成して前記画素変換ＩＣに出力し、
前記画素変換ＩＣは、前記画面合成ＩＣが生成した前記両方向画像の画素の配置を変換
することで、横方向画素数がＮの前記組み合わせ画像を生成して前記画像表示装置に供給
することを特徴とする請求項１に記載の２画像供給装置。
【請求項３】
第１の画像（４１、４３）を構成する複数の画素と第２の画像（４２）を構成する複数の画素とがまとめて所定の配置で組み合わせられた組み合わせ画像（４４）の供給を受けることで、第１の方向に画面を見たときには前記第１の画像が見え、前記第１の方向とは異なる第２の方向に前記画面を見たときには前記第２の画像が見えるような表示を行う画像表示装置（１２）と、
前記画像表示装置に対して前記組み合わせ画像を供給する２画像供給装置（１９）と、
を備えた２画像表示システムであって、
前記２画像供給装置は、
複数の画像ソース（１５、１６、１７、１８、２１）のうち同時に最大で２つの画像ソ
ースから画像部品群を取得し、取得した前記部品群に基づいて出力用画像（４１、４２）
を生成する描画ＩＣ（２１）と、
前記複数の画像ソースのうち同時に最大で２つの画像ソースから画像を取得して合成す
ることで、前記第１の画像および前記第２の画像を含む両方向画像（４１、４２、４３）
を生成する画面合成ＩＣ（２２）と、
前記画面合成ＩＣが生成した前記両方向画像の画素の配置を変換することで、前記組み
合わせ画像を生成して前記画像表示装置に供給する画素変換ＩＣ（２３）と、を有し、
前記描画ＩＣは、前記複数の画像ソースのうち第１の画像ソース（１７）から第１の部
品群を取得すると共に前記複数の画像ソースのうち前記第１の画像ソースと異なる第２の
画像ソース（１８）から第２の部品群を取得し、また、前記第１の部品群から第３の画像
（４１）を構成すると共に前記第２の部品群から前記第２の画像を構成し、それら第３の
画像および第２の画像を含む画像を前記出力用画像として出力し、
前記画面合成ＩＣは、前記複数の画像ソースのうち前記描画ＩＣから前記出力用画像を
取得すると共に、前記複数の画像ソースのうちＴＶ映像のソース（１５）またはＤＶＤ映
像のソース（１６）からＴＶ映像またはＤＶＤ映像（４３）を取得し、前記出力用画像中
の前記第３の画像に対して前記ＴＶ映像またはＤＶＤ映像を重畳したものを前記第１の画像とする前記両方向画像を生成して前記画素変換ＩＣに出力することを特徴とする２画像表示システム。
【請求項４】
制御回路（２０）と、前記制御回路の制御に従って画像を表示する２画像表示システム（１９、１２）とを備えた車両用ナビゲーション装置であって、
前記２画像表示システムは、第１の画像（４１、４３）を構成する複数の画素と第２の
画像（４２）を構成する複数の画素とがまとめて所定の配置で組み合わせられた組み合わ
せ画像（４４）の供給を受けることで、第１の方向に画面を見たときには前記第１の画像
が見え、前記第１の方向とは異なる第２の方向に前記画面を見たときには前記第２の画像
が見えるような表示を行う画像表示装置（１２）と、前記画像表示装置に対して前記組み
合わせ画像を供給する２画像供給装置（１９）と、を備え、
前記２画像供給装置は、
複数の画像ソース（１５、１６、１７、１８、２１）のうち同時に最大で２つの画像ソ
ースから画像部品群を取得し、取得した前記部品群に基づいて出力用画像（４１、４２）
を生成する描画ＩＣ（２１）と、
前記複数の画像ソースのうち同時に最大で２つの画像ソースから画像を取得して合成す
ることで、前記第１の画像および前記第２の画像を含む両方向画像（４１、４２、４３）
を生成する画面合成ＩＣ（２２）と、
前記画面合成ＩＣが生成した前記両方向画像の画素の配置を変換することで、前記組み
合わせ画像を生成して前記画像表示装置に供給する画素変換ＩＣ（２３）と、を有し、
前記制御回路が前記描画ＩＣを制御することで、前記描画ＩＣは、前記複数の画像ソー
スのうち第１の画像ソース（１７）から第１の部品群を取得すると共に前記複数の画像ソ
ースのうち前記第１の画像ソースと異なる第２の画像ソース（１８）から第２の部品群を
取得し、また、前記第１の部品群から第３の画像（４１）を構成すると共に前記第２の部
品群から前記第２の画像を構成し、それら第３の画像および第２の画像を含む画像を前記
出力用画像として出力し、
前記制御回路が前記画面合成ＩＣを制御することで、前記画面合成ＩＣは、前記複数の
画像ソースのうち前記描画ＩＣから前記出力用画像を取得すると共に、前記複数の画像ソ
ースのうちＴＶ映像のソース（１５）またはＤＶＤ映像のソース（１６）からＴＶ映像ま
たはＤＶＤ映像（４３）を取得し、前記出力用画像中の第３の画像に対して前記ＴＶ映像
またはＤＶＤ映像を重畳したものを前記第１の画像とする前記両方向画像を生成して前記
画素変換ＩＣに出力することを特徴とする車両用ナビゲーション装置。
【発明の詳細な説明】
【技術分野】
【０００１】
本発明は、２画像供給装置、２画像表示システム、および車両用ナビゲーション装置に関するものである。
【背景技術】
【０００２】
従来、第１の方向に画面を見たときには第１の画像が見え、第１の方向とは異なる第２の方向に同じ画面を見たときには第２の画像が見えるような表示（以下、マルチビュー表示という）を行う２画面表示装置（例えば、特許文献１、２、３参照）が、車載用の表示装置として実用化されている。
【０００３】
例えば、図７に示すように、画像表示装置の一例としての液晶ディスプレイ１２の表示面に向って左側の助手席ユーザ８１から液晶ディスプレイ１２への方向８２に液晶ディスプレイ１２の表示画面を見た場合、ＴＶまたはＤＶＤの映像（以下、単にＴＶ／ＤＶＤ映像という）およびコントロールパネル画像から成る画像７１が見え、向って右側の運転席ユーザ８３から液晶ディスプレイ１２への方向８４に同じ表示画面を見た場合、地図画像７２が見える。
【０００４】
このような２画面表示装置は、周知の通り、組み合わせ画像の供給を受けることでマルチビュー表示を行うことができる。組み合わせ画像とは、第１の画像（図７でいう画像７１）を構成する複数の画素と第２の画像（図７でいう画像７２）を構成する複数の画素がまとめて所定の配置で組み合わせられた画像をいう。所定の配置としては、例えば第１の画像の画素と第２の画像の画素を一列毎に交互に割り当てる配列がある。
【０００５】
このような組み合わせ画像を供給するために、従来は、図８に示すような構成の２画像供給装置が使用されている。図８に示す２画像供給装置は、第１描画ＩＣ５１、第２描画ＩＣ５２、画面合成ＩＣ５３、および画素変換ＩＣ５４を有している。
【０００６】
第１描画ＩＣ５１、第２描画ＩＣ５２のそれぞれは、複数の画像ソースのうち同時に最大で２つの画像ソースから画像の部品群（以下、単に部品群という）を取得し、取得した部品群に基づいて画面合成ＩＣ５３への出力用画像を生成する機能を有している。なお、複数の画像ソースとしては、例えば、ＴＶ／ＤＶＤ映像の供給源、地図画像の供給源、ボタン群画像の供給源等がある。
【０００７】
図７の例のように、助手席側からはＴＶ／ＤＶＤ映像およびそのＴＶ／ＤＶＤ映像の表示内容をコントロールするためのボタンが見え、かつ、ドライバ側からはＴＶ／ＤＶＤ映像が見えずに、地図画像が見えるようになっていると好ましい場合がある。このような表示を実現するためには、ＴＶ／ＤＶＤ映像のソース、コントロールパネル画像のソース、地図画像のソースという、３つの画像ソースからの画像を利用する必要がある。
【０００８】
そこで、従来においては、最大２つの画像ソースを同時に利用することができる描画ＩＣ５１、５２を２つ使用している。すなわち、一方の第１描画ＩＣ５１は、図９に例示するように、コントロールパネル画像の部品（例えばボタンの画像）およびＴＶ／ＤＶＤ映像を同時に取得し、コントロールパネル画像の部品から画素数が横Ｎ個×縦Ｍ個（ただし、Ｎは偶数、Ｍは整数）の画素を持つコントロールパネル画像６１を構成し、そのコントロールパネル画像６１にＴＶ／ＤＶＤ映像６２を重畳し、その結果の横Ｎ個×縦Ｍ個の画素を持つ画像を出力用画像として出力する。そして、他方の第２描画ＩＣ５２は、地図画像の部品を取得し、それら部品を構成することで、図１０に例示するような横Ｎ個×縦Ｍ個の画素を持つ地図画像６３を、出力用画像として生成する。
【０００９】
画面合成ＩＣ５３は、複数の画像ソースのうち同時に最大で２つの画像ソースから画像を取得して合成する機能を有する。ただし、描画ＩＣのように、部品から画像を構成する機能は有していない。画面合成ＩＣ５３は、映像ソースとして、第１描画ＩＣ５１および第２描画ＩＣ５２を利用する。具体的には、画面合成ＩＣ５３は、第１描画ＩＣ５１からの出力用画像および第２描画ＩＣ５２からの出力用画像のそれぞれについて、画素を横方向に間引くことで、それら出力用画像の横画素数を半分のＮ／２に減らし、さらに、それら間引かれた結果の出力用画像を横方向に繋ぎ合わせることで、図１１に例示すような、助手席用の画像６６、６７と運転席側の画像６８とを含む横Ｎ個×縦Ｍ個の画素を持つ両方向画像を生成する。
【００１０】
そして画面合成ＩＣ５３は、この両方向画像を画素変換ＩＣ５４に出力する。画素変換ＩＣ５４は、この両方向画像の画素の配置を変換することで、図１２に例示すような横Ｎ個×縦Ｍ個の画素を持つ組み合わせ画像を生成し、それを液晶ディスプレイ１２に供給する。このような２画像供給装置の作動により、液晶ディスプレイ１２がマルチビュー表示を実現することができる。
【特許文献１】特開平０９−４６６２２号公報
【特許文献２】特開平１１−３３１８７６号公報
【特許文献３】特開２００６−１５４７５４号公報
【発明の開示】
【発明が解決しようとする課題】
【００１１】
しかし、上記のような２画像供給装置は、画像の部品から画像を構成する機能を有する描画ＩＣを２つ必要とする。このことは、２画像供給装置の製造コストを引き上げる原因となっている。
【００１２】
上記点に鑑み、本発明は、マルチビュー表示機能を有する画像表示装置に対して画像を供給する２画像供給装置において、同時に最大２つの画像ソースから画像または画像の部品を取得すると共に、部品から画像を構成する機能を有する描画ＩＣの数を低減することを目的とする。
【課題を解決するための手段】
【００１３】
上記目的を達成するための本発明の特徴は、第１の画像（４１、４３）を構成する複数の画素と第２の画像（４２）を構成する複数の画素とがまとめて所定の配置で組み合わせられた組み合わせ画像（４４）の供給を受けることで、第１の方向（８２）に画面を見たときには第１の画像が見え、第１の方向とは異なる第２の方向（８４）に同じ画面を見たときには第２の画像が見えるような表示を行う画像表示装置（１２）に対して、当該組み合わせ画像を供給する２画像供給装置についてのものである。
【００１４】
この２画像供給装置は、描画ＩＣ（２１）、画面合成ＩＣ（２２）、および、画素変換ＩＣ（２３）を備えている。
【００１５】
描画ＩＣは、複数の画像ソース（１５、１６、１７、１８、２１）のうち同時に最大で
２つの画像ソースから画像の部品群（以下、単に部品群という）を取得し、取得した部品
群に基づいて出力用画像（４１、４２）を生成する。
【００１６】
画面合成ＩＣは、当該複数の画像ソースのうち同時に最大で２つの画像ソースから画像を取得して合成することで、第１の画像および第２の画像を含む両方向画像（４１、４２、４３）を生成する。また、画素変換ＩＣは、画面合成ＩＣが生成した両方向画像の画素の配置を変換することで、組み合わせ画像（４４）を生成して画像表示装置（１２）に供給する。
【００１７】
このような２画像供給装置において、描画ＩＣは、当該複数の画像ソースのうち第１の画像ソース（１７）から第１の部品群を取得すると共に当該複数の画像ソースのうち第１の画像ソース（１７）と異なる第２の画像ソース（１８）から第２の部品群を取得し、また、第１の部品群から第３の画像（４１）を構成すると共に第２の部品群から第２の画像（４２）を構成し、それら第３の画像（４１）および第２の画像（４２）を含む画像を出力用画像として出力し、
画面合成ＩＣは、当該複数の画像ソースのうち描画ＩＣから出力用画像を取得すると共に、当該複数の画像ソースのうちＴＶ映像のソース（１５）またはＤＶＤ映像のソース（１６）からＴＶ映像またはＤＶＤ映像（４３）を取得し、当該出力用画像中の第３の画像（４１）に対して当該ＴＶ映像またはＤＶＤ映像（４３）を重畳したものを第１の画像（４１、４３）とする両方向画像（４１、４２、４３）を生成して画素変換ＩＣに出力する。
【００１８】
このように、本発明においては、異なる画像ソースからの部品群に基づく画像構成を、描画ＩＣがすべて行うので、描画ＩＣが１つあれば足りる。また、描画ＩＣにて生成された出力用画像（４１、４２）へのＴＶ／ＤＶＤ映像（４３）の重畳は、画面合成ＩＣ（２２）を用いて行うことができる。このようにすることで、描画ＩＣの数の低減が実現し、２画像供給装置の製造コストを抑えることができる。
【００１９】
また、画像表示装置が２画像供給装置から供給を受ける組み合わせ画像は、その横方向画素数がＮ（ただしＮは偶数）であり、かつ、その組み合わせ画像の構成要素である第１の画像（４１、４３）および第２の画像（４２）は、それぞれ横方向画素数がＮ／２であってもよい。
【００２０】
図８〜図１２に示した従来の２画像供給装置においては、第１描画ＩＣ５１で横方向画素数Ｎの画像６１、６２を生成し、第２描画ＩＣ５２で横方向画素数Ｎの画像６３を生成し、画面合成ＩＣ５３でそれら画像のそれぞれの画素を横方向に間引くことで、横方向画素数Ｎ／２の画像６６、６７および横方向画素数Ｎ／２の画像６８から成る横方向画素数Ｎの両方向画像を生成している。このような方法では、わざわざ構成した画像の一部を液晶ディスプレイ１２における出力に利用せずに捨てていることになる。したがって、処理の無駄が発生しており、この無駄が処理負荷の増大および製造コストの増大に繋がっている。
【００２１】
このような問題に対処するため、本発明の描画ＩＣは、取得した第１の部品群から横方向画素数がＮ／２である第３の画像（４１）を構成すると共に取得した第２の部品群から横方向画素数がＮ／２である第２の画像を構成し、それら第３の画像および第２の画像を横方向に繋げた横方向画素数がＮの画像を出力用画像として出力してもよい。
【００２２】
そして、画面合成ＩＣは、取得した出力用画像中の第３の画像に対してＴＶ／ＤＶＤ映像（４３）を重畳したものを第１の画像とする横方向画素数がＮの両方向画像を生成して画素変換ＩＣに出力し、画素変換ＩＣは、画面合成ＩＣが生成した両方向画像の画素の配置を変換することで、横方向画素数がＮの組み合わせ画像を生成して画像表示装置に供給するようになっていてもよい。
【００２３】
このようになっていることで、描画ＩＣは、初めから第３の画像（４１）および第２の画像（４２）の横方向画素数をＮ／２としているので、生成した画像を無駄に捨ててしまうことがなくなる。したがって処理負荷の増大および製造コストの増大を抑えることができる。
【００２４】
なお、本発明の特徴は、上述のような２画像供給装置（１９）と液晶ディスプレイ（１２）とを備えた２画像表示システムとして捉えることもできる。さらに本発明の特徴は、そのような２画像表示システム（１２、１９）および描画部１９を制御する制御回路からなる車両用ナビゲーション装置として捉えることもできる。
【００２５】
なお、上記特許請求の範囲における括弧内の符号は、特許請求の範囲に記載された用語と後述の実施形態に記載される当該用語を例示する具体物等との対応関係を示すものである。
【発明を実施するための最良の形態】
【００２６】
以下、本発明の一実施形態について説明する。図１に、本実施形態に係る車両用ナビゲーション装置１の構成を示す。車両用ナビゲーション装置１は、位置検出器１１、液晶ディスプレイ１２、操作部１３、スピーカ１４、ＴＶチューナ１５、ＤＶＤプレーヤ１６、フラッシュメモリ１７、地図データ記憶部１８、描画部（２画像供給装置の一例に相当する）１９、および制御回路２０を有している。
【００２７】
位置検出器１１は、いずれも周知の図示しない地磁気センサ、ジャイロスコープ、車速センサ、およびＧＰＳ受信機等のセンサを有しており、これらセンサの各々の性質に基づいた、車両の現在位置、向き、および速度を特定するための情報を制御回路２０に出力する。操作部１３は、ユーザの操作を受け付ける入力装置から成り、当該入力装置に対するユーザの操作に基づいた信号を制御回路２０に出力する。
【００２８】
液晶ディスプレイ１２は、描画部１９からから供給された映像信号に基づいた映像をユーザに表示する。本実施形態においては、液晶ディスプレイ１２は、車両のインストルメントパネル上の、ドライバ席と助手席との間に該当する位置に、その表示画面を車両後方に向けて取り付けられている。
【００２９】
この液晶ディスプレイ１２は、マルチビュー表示機能を有している。マルチビュー表示とは、図７に例示するように、第１の方向８２に画面を見たときには第１の画像７１が見え、第１の方向８２とは異なる第２の方向８４に同じ画面を見たときには第２の画像７２が見えるような表示をいう。本実施形態においては、方向８２は、助手席の乗員８１から液晶ディスプレイ１２の表示画面への方向に相当し、方向８４は、ドライバ席の乗員８３から液晶ディスプレイ１２への方向に相当する。車両の走行中は、方向８２に表示画面を見たときにはＴＶ映像またはＤＶＤ映像（以下、単にＴＶ／ＤＶＤ映像という）が見えるようになっていても、それ同時に、方向８４に表示画面を見たときにはＴＶ／ＤＶＤ映像が見えず地図画像等が見えるようになっていることが、車両の安全運転にとっては望ましい。
【００３０】
この液晶ディスプレイ１２は、マルチビュー表示を実現するために、描画部１９から横Ｎ個×縦Ｍ個（ただし、Ｎは偶数、Ｍは整数）の画素から成る組み合わせ画像の供給を受ける。組み合わせ画像とは、横Ｎ／２個×縦Ｍ個の画素から成る第１の画像（図７でいう画像７１に相当する）を構成する全画素と、横Ｎ／２個×縦Ｍ個の画素から成る第２の画像（図７でいう画像７２に相当する）を構成する全画素がまとめて所定の配置で組み合わせられた画像をいう。所定の配列としては、例えば、横方向（すなわち助手席乗員８１とドライバ席乗員８３との位置のずれの方向、言い換えれば水平方向）に奇数番目となる列の全画素には第１の画像の画素を順に配置し、偶数番目となる列の全画素には第２の画像の画素を順に配置するという様に、横方向に１列毎に交互に第１の画像と第２の画像を配置する配列がある。
【００３１】
このように配置された組み合わせ画像の提供を受けて、第１の方向８２に画面を見たときには第１の画像７１が見え、第２の方向８４に画面を見たときには第２の画像７２が見えるような表示を行うための構成としては、種々の周知なものがある（例えば、特許文献２のレンティキュラーレンズ、特許文献３に記載の視差バリア参照）。
【００３２】
ＴＶチューナ１５は、制御回路２０からの制御に従って、テレビ放送用の無線信号を受信し、受信した信号に含まれるテレビ番組の動画像の信号（すなわちＴＶ映像）を描画部１９に出力する装置である。このＴＶチューナ１５は、テレビ映像のデータ源であるから、画像ソースの一例として機能する。
【００３３】
ＤＶＤプレーヤ１６は、制御回路２０からの制御に従って、ＤＶＤメディアに記録されている動画データを読み出し、読み出した動画データに基づく動画信号（すなわちＤＶＤ映像）を描画部１９に出力する装置である。このＤＶＤプレーヤ１６は、ＤＶＤ映像のデータ源であるから、画像ソースの一例として機能する。
【００３４】
フラッシュメモリ１７は、コントロールパネル画像の部品のデータを複数記憶する不揮発性の記憶媒体である。コントロールパネル画像とは、ＴＶ／ＤＶＤ映像の表示内容の制御（例えば、チャネル切り替え、早送り、巻き戻し、頭出し、輝度調整）を行うためのアイコン（例えば、ボタン画像、スライドバー画像、ダイヤル画像等）が複数個配置された画像である。これらのアイコンは、操作部１３を用いてユーザが操作できるようになっている。
【００３５】
ここで、部品とは、このコントロールパネル画像の構成要素となる画像（例えばアイコン、背景の画像）をいう。このフラッシュメモリ１７は、描画部１９および制御回路２０から読み出し可能になっている。以上のように、このフラッシュメモリ１７は、コントロールパネル画像の部品のデータ源であるから、画像ソースの一例として機能する。
【００３６】
地図データ記憶部１８は、ＤＶＤメデイア、ＣＤメディア、ＨＤＤ等の不揮発性の記憶媒体およびそれら記憶媒体に対してデータの読み出し（および可能ならば書き込み）を行う装置から成る。当該記憶媒体は、制御回路２０が実行するプログラム、経路案内用の地図データ等を記憶している。
【００３７】
地図データは、道路データおよび施設データ、および地図画像部品データを有している。道路データは、リンクの位置情報、種別情報、ノードの位置情報、種別情報、ノードとリンクとの接続関係の情報を含んでいる。施設データは、施設毎のレコードを複数有しており、各レコードは、対象とする施設の名称情報、施設種類情報等を示すデータを有している。
【００３８】
地図画像部品データは、地図の画像の構成要素となる部品のデータを複数種類有している。部品としては、各種形状毎に作成された道路の画像、各種形状毎に作成された交差点の画像、施設の外形を構成するためのポリゴン画像、施設の種別毎に作成された施設アイコン等がある。
【００３９】
この地図データ記憶部１８は、描画部１９および制御回路２０から読み出し可能になっている。以上のように、この地図データ記憶部１８は、地図画像の部品のデータ源であるから、画像ソースの一例として機能する。
【００４０】
描画部１９は、制御回路２０からの制御内容に基づいて、画像ソースであるＴＶチューナ１５、ＤＶＤプレーヤ１６、フラッシュメモリ１７、地図データ記憶部１８等から画像データまたは画像の部品データを取得し、それら取得したデータに基づいて、第１の画像データの画素および第２の画像データの画素が所定の配置で組み合わされた組み合わせ画像を生成し、生成した画像を、液晶ディスプレイ１２に表示させる装置である。この描画部１９の詳細については後述する。
【００４１】
制御回路（コンピュータに相当する）２０は、ＣＰＵ、ＲＡＭ、ＲＯＭ、Ｉ／Ｏ等を有するマイコンである。ＣＰＵは、ＲＯＭまたは地図データ記憶部１８から読み出した車両用ナビゲーション装置１の動作のためのプログラムを実行し、その実行の際にはＲＡＭ、ＲＯＭ、および地図データ記憶部１８から情報を読み出し、ＲＡＭおよび（可能であれば）地図データ記憶部１８の記憶媒体に対して情報の書き込みを行い、位置検出器１１、液晶ディスプレイ１２、操作部１３、スピーカ１４、ＴＶチューナ１５、ＤＶＤプレーヤ１６、描画部１９等と信号の授受を行う。
【００４２】
制御回路２０がプログラムを実行することによって行う具体的な処理としては、現在位置特定処理、誘導経路算出処理、経路案内処理、画像表示制御処理等がある。
【００４３】
現在位置特定処理は、位置検出器１１からの信号に基づいて、周知のマップマッチング等の技術を用いて車両の現在位置や向きを特定する処理である。誘導経路算出処理は、操作部１３からユーザによる目的地の入力を受け付け、現在位置から当該目的地までの最適な誘導経路を算出する処理である。
【００４４】
経路案内処理は、案内交差点の手前に自車両が到達したとき等の必要時に、右折、左折等を指示する案内音声信号をスピーカ１４に出力させ、あるいは、画像表示制御処理を通じて、液晶ディスプレイ１２に交差点拡大画像を表示させる処理である。
【００４５】
画像表示制御処理は、必要に応じて地図画像、ＴＶ／ＤＶＤ映像等を液晶ディスプレイ１２に表示させるために、描画部１９を制御する処理である。本実施形態においては、描画部１９は、液晶ディスプレイ１２のマルチビュー表示機能を利用するために、助手席の乗員に見せる画像と、ドライバ席の乗員に見せる画像をそれぞれ決定し、その決定に従って、描画部１９を制御する。
【００４６】
例えば、描画部１９は、画像表示制御処理において、車速センサからの信号等に基づいて、車両が走行しているか否かを判定し、走行している場合には、助手席の乗員にはＴＶ／ＤＶＤ映像およびコントロールパネル画像が見えるようにすると同時に、ドライバ席の乗員にはＴＶ／ＤＶＤ映像が見えずに地図画像が見えるように、描画部１９を制御する。制御回路２０が描画部１９に対して行う具体的な制御内容については後述する。
【００４７】
ここで、描画部１９の構成について説明する。図２に、描画部１９のハードウェア構成をブロック図で示す。描画部１９は、描画ＩＣ２１、画面合成ＩＣ２２、および画素変換ＩＣ２３を有している。
【００４８】
描画ＩＣ２１は、複数の画像ソース１５〜１８から画像の部品群を取得し、取得した部品群から出力用画像を生成し、生成した出力用画像を画面合成ＩＣ２２に出力する機能を有している。ただし、描画ＩＣ２１は、画像ソースから画像または部品群を取得するためのポートを２つしか備えていない。したがって、描画ＩＣ２１が同時にデータを取得できる画像ソースは最大で２つである。また、描画ＩＣ２１がどの画像ソースから部品群を取得し、また、それら取得した部品群に基づいてどのような画像を生成するかは、制御回路２０から受ける制御信号によって決まる。なお、描画ＩＣ２１は、画像を出力するので、画像ソースの一例としても機能する。
【００４９】
画面合成ＩＣ２２は、当該複数の画像ソース１５〜１８、２１から画像を取得して合成することで、助手席用の第１の画像およびドライバ席用の第２の画像を含む両方向画像を生成する機能を有している。ただし、画面合成ＩＣ２２は、画像ソースから画像を取得するためのポートを２つしか備えていない。したがって、画面合成ＩＣ２２が同時にデータを取得できる画像ソースは最大で２つである。また、画面合成ＩＣ２２がどの画像ソースから部品群を取得し、また、どのような形態で画像の合成を行うかは、制御回路２０から受ける制御信号によって決まる。
【００５０】
画素変換ＩＣは、画面合成ＩＣが生成した両方向画像の画素の配置を変換することで、組み合わせ画像を生成する。そして、生成した画像を液晶ディスプレイ１２に出力することで、当該液晶ディスプレイ１２に生成した画像を供給する。
【００５１】
次に、以上のような構成の描画部１９に対する制御回路２０の制御、および、その制御に基づく描画部１９の作動について、図３〜図６を参照して説明する。なお、図３は、描画ＩＣ２１が生成する出力用画像の一例を示し、図４は、画面合成ＩＣ２２が生成する両方向画像の一例を示し、図５は、画面合成ＩＣ２２の画像合成の方法を概念的に示し、図６は、画素変換ＩＣ２３が生成する組み合わせ画像４４を示す。
【００５２】
制御回路２０は、車両が走行していることに基づいて、ＤＶＤ／ＴＶ映像およびコントロールパネル画像を助手席に表示し、地図画像を運転席に表示する必要が生じたと判定する。そして、その判定に基づいて、描画ＩＣ２１に対して、以下の（Ａ１）〜（Ａ４）の命令を含む制御信号を出力する。
【００５３】
（Ａ１）１つのポートからコントロールパネル画像の特定の部品を取得し、同時にもう１つのポートから地図画像の特定の部品を取得する。
（Ａ２）取得したコントロールパネル画像の特定の部品を特定の配置で並べた横Ｎ／２個×縦Ｍ個の画素から成る画像４１（第３の画像の一例に相当する）を構成する（図３参照）。
（Ａ３）取得した地図画像の特定の部品を特定の配置で並べた横Ｎ／２個×縦Ｍ個の画素から成る画像（第２の画像の一例に相当する）４２を構成する（図３参照）。
（Ａ４）構成した画像４１および画像４２を横に繋いだ横Ｎ個×縦Ｍ個の画素から成る出力用画像を生成する（図３参照）。
【００５４】
なお、コントロールパネル画像の特定の部品とは、現在表示させようとしているＴＶ／ＤＶＤ映像の種類に応じて制御回路２０が選択する部品をいう。例えば、ＴＶ映像を表示させようとしている場合は、チャンネル選択用のアイコン等を選択し、ＤＶＤ映像を表示させようとしている場合は、再生開始用のアイコン、再生停止用のアイコン、早送り用のアイコンを含める。また、コントロールパネル画像の部品の特定の配置とは、現在表示させようとしているＴＶ／ＤＶＤ映像の種類に応じてあらかじめ決められている配置をいう。
【００５５】
また、地図画像の特定の部品とは、現在地図画像を表示させようとしている対象の地域（例えば、現在位置を中心とする所定範囲の領域）に含まれる道路、施設をいう。また、地図画像の部品の特定の配置とは、表示させようとする地域の道路および施設の構造に基づいて、制御回路２０が決定する配置をいう。
【００５６】
このような制御信号を制御回路２０から受けることで、描画ＩＣ２１は、複数の画像ソースのうちフラッシュメモリ１７からコントロールパネル画像の部品群（第１の部品群の一例に相当する）を取得すると共に、当該複数の画像ソースのうち地図データ記憶部１８から地図画像用の部品群（第２の部品群の一例に相当する）を取得する。また描画ＩＣ２１は、コントロールパネル画像の部品群から横方向画素数がＮ／２であるコントロールパネル画像４１を構成すると共に地図画像用の部品群から横方向画素数がＮ／２である地図画像４２を構成する。さらに描画ＩＣ２１は、それら構成したコントロールパネル画像４１および地図画像４２を、この順で左か右に横方向に繋げた横方向画素数がＮの画像を出力用画像として画面合成ＩＣ２２に出力する。
【００５７】
また、制御回路２０は、描画ＩＣ２１に対して上記（Ａ１）〜（Ａ４）の命令を含む制御信号を出力すると共に、画面合成ＩＣ２２に対して以下の（Ｂ１）〜（Ｂ３）の命令を含む制御信号を出力する。
【００５８】
（Ｂ１）１つのポートから描画ＩＣ２１が出力した出力用画像を取得し、同時にもう１つのポートからＴＶ／ＤＶＤ映像を取得する。
（Ｂ２）取得した出力用画像のうち、コントロールパネル画像４１が占める領域の一部分に、ＴＶ／ＤＶＤ映像４３を重畳する（図４参照）。
（Ｂ３）重畳後の横Ｎ個×縦Ｍ個の画素から成る画像（図４参照）を、両方向画像として画素変換ＩＣ２３に出力する。
【００５９】
なお、重畳の方法としては、具体的には、図５に示すように、第１レイヤ３１にコントロールパネル画像４１および地図画像４２を含む出力用画像を読み込み、第２レイヤ３２の所定の位置（より具体的には、コントロールパネル画像４１の一部に重なる位置）にＴＶ／ＤＶＤ映像４３を読み込み、それらを（第２レイヤ３２を優先して）重ね合わせるという方法（スーパーインポーズ、オーバーレイ）を採用してもよい。
【００６０】
このような制御信号を制御回路２０から受けることで、画面合成ＩＣ２２は、画像ソースの１つである描画ＩＣ２１から出力用画像を取得すると共に、画像ソースの１つであるＴＶチューナ１５またはＤＶＤプレーヤ１６からＴＶ／ＤＶＤ映像４３を取得し、当該出力用画像中のコントロールパネル画像４１に対して当該ＴＶ／ＤＶＤ映像４３を重畳する。そして、重畳後のコントロールパネル画像４１およびＴＶ／ＤＶＤ映像４３から成る助手席用画像（第１の画像の一例に相当する）と、地図画像４２から成るドライバ席用画像（第２の画像の一例に相当する）とが横方向に繋がった横方向画素数がＮの両方向画像を生成して画素変換ＩＣ２３に出力する。
【００６１】
このような両方向画像を取得した画素変換ＩＣ２３は、画面合成ＩＣ２２が生成した両方向画像の画素を変換して、それら画素が所定の配置となるような、横方向画素数がＮの組み合わせ画像４４を生成して液晶ディスプレイ１２に供給する。
【００６２】
このような組み合わせ画像４４の供給を受けることで、液晶ディスプレイ１２は、図７に示すように、コントロールパネル画像４１とＴＶ／ＤＶＤ映像４３との合成である画像７１が助手席側から見えると同時に、地図画像４２から成る画像７２がドライバ側から見えるようなマルチビュー表示を行うことができる。
【００６３】
このように、異なる画像ソース１７、１８からの部品群に基づく画像構成を、１つの描画ＩＣ２１がすべて行うので、描画ＩＣ２１が１つあれば足りる。また、描画ＩＣ２１にて生成された出力用画像（コントロールパネル画像４１および地図画像４２から成る）へのＴＶ／ＤＶＤ映像４３の重畳は、画面合成ＩＣ２２を用いて行うことができる。このようにすることで、描画部１９における描画ＩＣの数の低減が実現し、描画部１９の製造コストを抑えることができる。
【００６４】
また、図８〜図１２に示した従来の２画像供給装置においては、第１描画ＩＣ５１で横方向画素数Ｎの画像６１、６２を生成し、第２描画ＩＣ５２で横方向画素数Ｎの画像６３を生成し、画面合成ＩＣ５３でそれら画像のそれぞれの画素を横方向に間引くことで、横方向画素数Ｎ／２の画像６６、６７および横方向画素数Ｎ／２の画像６８から成る横方向画素数Ｎの両方向画像を生成している。このような方法では、わざわざ構成した画像の一部を液晶ディスプレイ１２における出力に利用せずに捨てていることになる。したがって、処理の無駄が発生しており、この無駄が処理負荷の増大および製造コストの増大に繋がっている。
【００６５】
しかし、本実施形態の描画ＩＣ２１は、初めからコントロールパネル画像４１および地図画像４２の横方向画素数をＮ／２としているので、生成した画像を無駄に捨ててしまうことがなくなる。したがって処理負荷の増大および製造コストの増大を抑えることができる。
【００６６】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６７】
例えば、上記の実施形態においては、液晶ディスプレイ１２が画像表示装置の一例として示されている。しかし、画像表示装置は、第１の画像を構成する複数の画素と第２の画像を構成する複数の画素とがまとめて所定の配置で組み合わせられた組み合わせ画像の供給を受けることで、マルチビュー機能を実現するようなものであれば、液晶ディスプレイに限らず、プラズマディスプレイ、ＣＲＴディスプレイ、有機ＥＬディスプレイ、ＳＥＤ（Surface-conduction Electron-emitter Display）等、どのようなディスプレイであってもよい。
【００６８】
また、画面合成ＩＣ２２の２つのポートのうち１つには、描画ＩＣ２１からの出力画像のみしか入力されないように、描画部１９の配線が構成されていてもよい。この場合は、制御回路２０は、画面合成ＩＣ２２に対して、もう一方のポートに入力される画像ソースを指定するようになっていればよい。
【００６９】
また、上記の実施形態では、助手席用の画像としてコントロールパネル画像４１とＴＶ／ＤＶＤ映像４３の合成画像を生成し、運転席用の画像として地図画像４２を生成する例について説明している。この例においては、描画部１９は、３つの画像ソースから画像または部品を取得するようになっている。
【００７０】
しかし、描画部１９は、常に３つの画像ソースから画像または部品を取得するようになっておらずともよく、その作動において、一度でも３つの画像ソースから画像または部品を取得する必要が生じるようなものであればよい。その意味では、描画部１９は、別の場面においては、助手席用の画像としてコントロールパネル画像４１とＴＶ／ＤＶＤ映像４３の合成画像を生成し、運転席用の画像としてコントロールパネル画像４１を生成するようになっていてもよい。
【００７１】
また、２画像表示システムが適用される対象は、必ずしも車両用ナビゲーション装置１でなくともよく、どのような分野の装置にも、その装置がマルチビュー表示機能を必要とするなら、適用可能である。
【図面の簡単な説明】
【００７２】
【図１】本発明の実施形態に係る車両用ナビゲーション装置１のハードウェア構成図である。
【図２】車両用ナビゲーション装置１の描画部１９のハードウェア構成図である。
【図３】描画ＩＣ２１が生成する出力用画像の一例を示す図である。
【図４】画面合成ＩＣ２２が生成する両方向画像の一例を示す図である。
【図５】画面合成ＩＣ２２の画像合成の方法を概念的に示す図である。
【図６】画素変換ＩＣ２３が生成する組み合わせ画像４４を示す図である。
【図７】液晶ディスプレイ１２のマルチビュー機能を示す概念図である。
【図８】従来技術における２画像供給装置のハードウェア構成図である。
【図９】第１描画ＩＣ５１が生成する画像６１、６２を例示する図である。
【図１０】第２描画ＩＣ５２が生成する画像６３を例示する図である。
【図１１】画面合成ＩＣ５３が生成する画像６６、６７、６８を例示する図である。
【図１２】画素変換ＩＣ５４が生成する変換後画像７０を例示する図である。
【符号の説明】
【００７３】
１…車両用ナビゲーション装置、１１…位置検出器、１２…液晶ディスプレイ、
１３…操作部、１４…スピーカ、１５…ＴＶチューナ、１６…ＤＶＤプレーヤ、
１７…フラッシュメモリ、１８…地図データ記憶部、１９…描画部、２０…制御回路、
２１…描画ＩＣ、２２…画面合成ＩＣ、２３…画素変換ＩＣ、３１…第１レイヤ、
３２…第２レイヤ、４１…コントロールパネル画像、４２…地図画像、
４３…ＴＶ／ＤＶＤ映像、４４…組み合わせ画像、５１…第１描画ＩＣ、
５２…第２描画ＩＣ、５３…画面合成ＩＣ、５４…画素変換ＩＣ、
６１…左側用元画像、６２…ＴＶ／ＤＶＤ映像、６３…右側用元画像、
６６…左側用間引き後画像、６７…ＴＶ／ＤＶＤ映像、６８…右側用間引き後画像、
７０…変換後画像、７１…左側から見える画像、７２…右側から見える画像、
８１…助手席乗員、８３…ドライバ席乗員。
【図１】
0005157316.tif 000002
【図２】
0005157316.tif 000003
【図３】
0005157316.tif 000004
【図４】
0005157316.tif 000005
【図５】
0005157316.tif 000006
【図６】
0005157316.tif 000007
【図７】
0005157316.tif 000008
【図８】
0005157316.tif 000009
【図９】
0005157316.tif 000010
【図１０】
0005157316.tif 000011
【図１１】
0005157316.tif 000012
【図１２】
0005157316.tif 000013